【手続補正書】
【提出日】令和1年7月16日(2019.7.16)
【手続補正１】
【補正対象書類名】特許請求の範囲
【補正対象項目名】全文
【補正方法】変更
【補正の内容】
【特許請求の範囲】
【請求項１】
感光ドラムを有するドラムカートリッジと、
前記感光ドラムに現像剤を供給する現像剤担持体を有する現像カートリッジと、
を有するカートリッジを着脱可能とされた画像形成装置であって、
前記感光ドラムと前記現像剤担持体を接触または離間させる当接離間機構であって、前記カートリッジに接触可能な部分を含む当接離間機構と、
前記カートリッジが前記画像形成装置の本体内部に装着された状態において、前記カートリッジの移動を規制するように、前記カートリッジに接触可能な規制部材と、
を備え、
前記カートリッジが前記本体内部に装着された状態において、前記規制部材で前記カートリッジの移動規制を行いつつ、前記当接離間機構で前記感光ドラムと前記現像剤担持体を離間させた状態とし、
前記当接離間機構で前記感光ドラムと前記現像剤担持体を接触させる動作に連動して、前記規制部材による前記カートリッジの移動規制を解除する、
ことを特徴とする画像形成装置。
【請求項２】
前記カートリッジは、前記ドラムカートリッジと前記現像カートリッジが一体とされたものである
ことを特徴とする請求項１に記載の画像形成装置。
【請求項３】
カートリッジを着脱可能とされた、シート部材に画像形成可能な画像形成装置であって、
前記シート部材と当接することによりシート部材を搬送可能とする給紙ローラと、
前記給紙ローラに前記シート部材を接触または離間させる移動機構と、
前記カートリッジが前記画像形成装置の本体内部に装着された状態において、前記カートリッジの移動を規制するように、前記カートリッジに接触可能な規制部材と、
を備え、
前記カートリッジが前記本体内部に装着された状態において、前記規制部材で前記カートリッジの移動規制を行いつつ、前記移動機構は前記給紙ローラを前記シート部材と離間した状態とし、
前記移動機構で前記給紙ローラを前記シート部材と当接させる動作に連動して、前記規制部材による前記カートリッジの移動規制を解除する、
ことを特徴とする画像形成装置。
【請求項４】
カートリッジを着脱可能とされた、シート部材に画像形成可能な画像形成装置であって、
前記シート部材を供給可能とする、前記画像形成装置の本体に対して移動可能な可動部材と、
前記カートリッジが前記画像形成装置の本体内部に装着された状態において、前記カートリッジの移動を規制するように、前記カートリッジに接触可能な規制部材と、
を備え、
前記カートリッジが前記本体内部に装着された状態において、前記規制部材で前記カートリッジの移動規制を行いつつ、前記可動部材が前記画像形成装置の装置本体に固定された状態とし、
前記可動部材を前記画像形成装置に対して移動させる動作に連動して、前記規制部材による前記カートリッジの移動規制を解除する、
ことを特徴とする画像形成装置。
【請求項５】
前記可動部材は、前記シート部材を供給するための開口を覆う前記画像形成装置に設けられたドアである
ことを特徴とする請求項４に記載の画像形成装置。
【請求項６】
前記可動部材は、前記シート部材が装填されるカセットである
ことを特徴とする請求項４に記載の画像形成装置。
【請求項７】
前記規制部材を前記カートリッジの移動規制を行う位置に位置させるロック機構であって、前記当接離間機構で前記感光ドラムと前記現像剤担持体を接触させる動作に連動して、前記規制部材の移動規制を解除するロック機構を有する
ことを特徴とする請求項１または２に記載の画像形成装置。
【請求項８】
前記規制部材は、回動可能とされたものであって、
前記ロック部材は、前記当接離間機構で前記感光ドラムと前記現像剤担持体を接触させる動作に連動して、前記規制部材の回動可能とするものであることを特徴とする請求項７に記載の画像形成装置。
【請求項９】
前記規制部材を前記カートリッジの移動規制を行う位置に位置させるロック機構であって、前記移動機構で前記給紙ローラを前記シート部材と当接させる動作に連動して、前記規制部材の移動規制を解除するロック機構を有する
ことを特徴とする請求項３に記載の画像形成装置。
【請求項１０】
前記規制部材は、回動可能とされたものであって、
前記ロック部材は、前記移動機構で前記給紙ローラを前記シート部材と当接させる動作に連動して、前記規制部材の回動可能とするものであることを特徴とする請求項９に記載の画像形成装置。
【請求項１１】
前記規制部材を前記カートリッジの移動規制を行う位置に位置させるロック機構であって、前記可動部材を前記画像形成装置に対して移動させる動作に連動して、前記規制部材の移動規制を解除するロック機構を有する
ことを特徴とする請求項４ないし６のいずれか１項に記載の画像形成装置。
【請求項１２】
前記規制部材は、回動可能とされたものであって、
前記ロック部材は、前記可動部材を前記画像形成装置に対して移動させる動作に連動して、前記規制部材の回動可能とするものであることを特徴とする請求項１１に記載の画像形成装置。
【請求項１３】
前記ロック機構は、揺動可能なリンクと、前記リンクの一端に接続され、前記規制部材に当接するロック部材と、前記リンクの他端に接続された回動可能な解除部と、を含み、前記解除部が回動することで、前記リンクを介して前記ロック部材が移動され、前記規制部材の移動規制が解除されるように構成されることを特徴とする請求項７ないし１２のいずれか１項に記載の画像形成装置。
【請求項１４】
前記解除部は、前記規制部材の移動規制を行う位置から第１の方向に移動することで、前記規制部材の移動規制が解除される第１の位置に位置するように構成され、
前記第１の位置に位置した前記解除部を、前記第１の方向に向けて移動させるカムを有することを特徴とする請求項１３に記載の画像形成装置。
【請求項１５】
前記規制部材は、前記カートリッジを前記本体内部に装着するための挿入経路からアクセス可能とされていることを特徴とする請求項１ないし１４のいずれか１項に記載の画像形成装置。
【請求項１６】
前記規制部材を、前記カートリッジの移動規制を行う位置から、前記カートリッジの移動規制が解除される位置に向けて付勢する付勢部材を有することを特徴とする請求項１ないし１５のいずれか１項に記載の画像形成装置。
【請求項１７】
前記規制部材は、前記カートリッジに接触することで、前記カートリッジが前記本体内部から取り外される方向に移動することを規制することを特徴とする請求項１ないし１６のいずれか１項に記載の画像形成装置。
【手続補正２】
【補正対象書類名】明細書
【補正対象項目名】０００９
【補正方法】変更
【補正の内容】
【０００９】
上記目的を達成するため、本発明に係る画像形成装置は、感光ドラムを有するドラムカートリッジと、感光ドラム上に現像剤を供給する現像剤担持体を有する現像カートリッジと、を有するカートリッジを着脱可能とされたものであって、感光ドラムと現像剤担持体を接触または離間させる当接離間機構であって、カートリッジに接触可能な部分を含む当接離間機構と、カートリッジが画像形成装置の本体内部に装着された状態において、カートリッジの移動を規制するように、カートリッジに接触可能な規制部材と、を備える。そして画像形成装置は、カートリッジが本体内部に装着された状態において、規制部材でカートリッジの移動規制を行いつつ、当接離間機構で感光ドラムと現像剤担持体を離間させた状態とし、当接離間機構で感光ドラムと現像剤担持体を接触させる動作に連動して、規制部材によるカートリッジの移動規制を解除する、ことを特徴とする。
【手続補正３】
【補正対象書類名】明細書
【補正対象項目名】００１０
【補正方法】変更
【補正の内容】
【００１０】
また上記目的を達成するため、本発明に係る他の画像形成装置は、カートリッジを着脱可能とされた、シート部材に画像形成可能なものであって、シート部材で付勢され、シート部材と当接することによりシート部材を搬送可能とする給紙ローラと、給紙ローラにシート部材を接触または離間させる移動機構と、カートリッジが画像形成装置の本体内部に装着された状態において、カートリッジの移動を規制するように、カートリッジに接触可能な規制部材と、を備える。そして画像形成装置は、カートリッジが本体内部に装着された状態において、規制部材でカートリッジの移動規制を行いつつ、移動機構は給紙ローラをシート部材と離間した状態とし、移動機構で給紙ローラをシート部材と当接させる動作に連動して、規制部材によるカートリッジの移動規制を解除する、ことを特徴とする。
【手続補正４】
【補正対象書類名】明細書
【補正対象項目名】００１１
【補正方法】変更
【補正の内容】
【００１１】
また上記目的を達成するため、本発明に係る他の画像形成装置は、カートリッジを着脱可能とされた、シート部材に画像形成可能なものであって、シート部材を供給可能とする、画像形成装置の本体に設けられた可動部材と、カートリッジが画像形成装置の本体内部に装着された状態において、カートリッジの移動を規制するように、カートリッジに接触可能な規制部材と、を備える。そして画像形成装置は、カートリッジが本体内部に装着された状態において、規制部材でカートリッジの移動規制を行いつつ、可動部材が画像形成装置の装置本体に固定された状態とし、可動部材を画像形成装置に対して移動させる動作に連動して、規制部材によるカートリッジの移動規制を解除する、ことを特徴とする。